(57)【要約】【課題】  既存のＰＯＳ端末コンピュータ６０に変更を加えることなく、ポイント付与サービスを実施することを課題とする。  【解決手段】ＰＯＳ端末コンピュータ６０から受信した印刷データに基づいてレシートＲに印刷を行うと共に、印刷データからポイントの付与対象となる金額を特定するための金額特定文字列を抽出する文字列抽出手段と、金額特定文字列と、当該金額特定文字列によって特定される金額をポイントに換算するためのポイント換算係数とに基づき、付与すべき獲得ポイント数を算出する獲得ポイント算出手段と、データキャリアから、過去に付与されたポイントの累積である累積ポイント数を読み取る累積ポイント読み取り手段と、累積ポイント数と獲得ポイント数とを加算した現在ポイント数をデータキャリアに書き込む現在ポイント書き込み手段と、を備えたものである。  【選択図】  図７
2010055630.tif 000002
【特許請求の範囲】
【請求項１】
顧客の購入商品に関する商品情報の入力に基づいて会計処理を行うＰＯＳ端末コンピュ
ータと接続されて用いられる印刷装置であって、前記ＰＯＳ端末コンピュータから送信さ
れた印刷データに基づいてレシート紙に印刷を行うと共に、前記顧客から提示されたデー
タキャリアを介して前記購入商品の金額に応じたポイントを付与するポイント付与サービ
ス機能を有するものにおいて、
前記レシート紙に印刷を行う印刷手段と、
前記印刷データから、前記ポイントの付与対象となる金額を特定するための金額特定文
字列を抽出する文字列抽出手段と、
前記金額特定文字列と、当該金額特定文字列によって特定される金額をポイントに換算
するためのポイント換算係数とに基づき、付与すべき獲得ポイント数を算出する獲得ポイ
ント算出手段と、
前記データキャリアから、過去に付与されたポイントの累積である累積ポイント数を読
み取る累積ポイント読み取り手段と、
前記累積ポイント数と前記獲得ポイント数とを加算した現在ポイント数を前記データキ
ャリアに書き込む現在ポイント書き込み手段と、
を備えたことを特徴とする印刷装置。
【請求項２】
前記累積ポイント数と前記獲得ポイント数との合計が所定の達成ポイント数に達したと
きに、
前記現在ポイント書き込み手段は、前記合計から前記達成ポイント数を減算したポイン
ト数を前記現在ポイント数として前記データキャリアに書き込み、
前記印刷手段は、前記合計が前記達成ポイント数に達した旨の印刷および／またはポイ
ント達成に対する特典を付与するための印刷を行うことを特徴とする請求項１に記載の印
刷装置。
【請求項３】
前記獲得ポイント数および／または前記現在ポイント数を、前記レシートおよび／また
は前記データキャリア上に印刷するためのポイントデータを生成するポイントデータ生成
手段と、
前記ポイントデータに基づき、前記レシートおよび／または前記データキャリア上に前
記獲得ポイント数および／または前記現在ポイント数の印刷を行うポイント印刷手段と、
を更に備えたことを特徴とする請求項１または２に記載の印刷装置。
【請求項４】
請求項１ないし３のいずれか１に記載の印刷装置と、前記ＰＯＳ端末コンピュータと、
当該ＰＯＳ端末コンピュータとネットワークを介して接続されると共にこれを統括制御す
るＰＯＳサーバとによって構成されることを特徴とするＰＯＳシステム。
【請求項５】
前記ＰＯＳ端末コンピュータに組み込まれたプリンタドライバは、前記印刷装置の印刷
動作の設定を行うための設定画面を起動し、
前記設定画面には、前記ポイント換算係数、前記達成ポイント数および前記金額特定文
字列のうち少なくとも１つを設定するための表示が為されることを特徴とする請求項４に
記載のＰＯＳシステム。
【請求項６】
請求項１ないし３のいずれか１に記載の印刷装置における各手段としてコンピュータを
機能させるためのプログラム。
【請求項７】
顧客の購入商品に関する商品情報の入力に基づいて会計処理を行うＰＯＳ端末コンピュ
ータと接続されて用いられる印刷装置のポイント付与方法であって、
前記印刷データから、前記ポイントの付与対象となる金額を特定するための金額特定文
字列を抽出する文字列抽出工程と、
前記金額特定文字列と、当該金額特定文字列によって特定される金額をポイントに換算
するためのポイント換算係数とに基づき、付与すべき獲得ポイント数を算出する獲得ポイ
ント算出工程と、
前記データキャリアから、過去に付与されたポイントの累積である累積ポイント数を読
み取る累積ポイント読み取り工程と、
前記累積ポイント数と前記獲得ポイント数とを加算した現在ポイント数を前記データキ
ャリアに書き込む現在ポイント書き込み工程と、
を実行することを特徴とするポイント付与方法。
【発明の詳細な説明】
【技術分野】
【０００１】
本発明は、印刷装置、ＰＯＳシステム、プログラムおよびポイント付与方法に関するも
のである。  
【背景技術】
【０００２】
近年、店舗等において、顧客の購買意欲の促進や、固定客の獲得などを目的とした顧客
サービスの一環として、購入金額や来店回数に応じたポイント数を顧客が所持するポイン
トカードに記録していき、達成ポイント数に達すると顧客がそのポイント数に応じた特典
を受ける事ができるポイント付与サービスが広く知られている。
【０００３】
従来のポイントカードを処理する端末として、顧客の購入商品に関する商品情報の入力
に基づいて会計処理を行うＰＯＳ端末コンピュータから制御される従属型の端末（特許文
献１参照）と、購入金額等を入力するキーボード等の入力手段を備えた独立型の端末（特
許文献２参照）とがある。
【先行技術文献】
【特許文献】
【０００４】
【特許文献１】実開平６−７５０８８号公報
【特許文献２】特開平６−６０２７３号公報
【発明の概要】
【発明が解決しようとする課題】
【０００５】
従属型の端末では、ポイント付与処理がホストとなるＰＯＳ端末コンピュータで行われ
るため、処理そのものが容易となり、かつ処理時間も短縮されるという利点があるが、新
たにポイント付与サービスを導入する場合に、ＰＯＳ端末コンピュータやＰＯＳアプリケ
ーションを変更するなどの設備投資が必要となる。一方、独立型の端末では、会計処理を
行うＰＯＳ端末コンピュータとは連動していないため、ポイントを付与する際に再度オペ
レータが金額等を手入力する必要があり、結果として顧客との会計取引処理の作業効率の
低下につながっていた。
【０００６】
そこで、本発明は、既存のＰＯＳ端末コンピュータやＰＯＳアプリケーションに変更を
加えることなく、ポイント付与サービスを実施可能な印刷装置、ＰＯＳシステム、プログ
ラムおよびポイント付与方法を提供することをその課題としている。
【課題を解決するための手段】
【０００７】
本発明の印刷装置は、顧客の購入商品に関する商品情報の入力に基づいて会計処理を行
うＰＯＳ端末コンピュータと接続されて用いられる印刷装置であって、ＰＯＳ端末コンピ
ュータから送信された印刷データに基づいてレシート上に印刷を行うと共に、顧客から提
示されたデータキャリアを介して購入商品の金額に応じたポイントを付与するポイント付
与サービス機能を有するものにおいて、レシート紙に印刷を行う印刷手段と、印刷データ
から、ポイントの付与対象となる金額を特定するための金額特定文字列を抽出する文字列
抽出手段と、金額特定文字列と、当該金額特定文字列によって特定される金額をポイント
に換算するためのポイント換算係数とに基づき、付与すべき獲得ポイント数を算出する獲
得ポイント算出手段と、データキャリアから、過去に付与されたポイントの累積である累
積ポイント数を読み取る累積ポイント読み取り手段と、累積ポイント数と獲得ポイント数
とを加算した現在ポイント数をデータキャリアに書き込む現在ポイント書き込み手段と、
を備えたことを特徴とする。
【０００８】
また、本発明のポイント付与方法は、顧客の購入商品に関する商品情報の入力に基づい
て会計処理を行うＰＯＳ端末コンピュータと接続されて用いられる印刷装置のポイント付
与方法であって、レシート紙に印刷を行う印刷工程と、印刷データから、ポイントの付与
対象となる金額を特定するための金額特定文字列を抽出する文字列抽出工程と、金額特定
文字列と、当該金額特定文字列によって特定される金額をポイントに換算するためのポイ
ント換算係数とに基づき、付与すべき獲得ポイント数を算出する獲得ポイント算出工程と
、データキャリアから、過去に付与されたポイントの累積である累積ポイント数を読み取
る累積ポイント読み取り工程と、累積ポイント数と獲得ポイント数とを加算した現在ポイ
ント数をデータキャリアに書き込む現在ポイント書き込み工程と、を実行することを特徴
とする。
【０００９】
この構成によれば、レシートに印刷するための印刷データから、ポイントの付与対象と
なる金額を特定するための文字列を抽出することにより、既存のＰＯＳ端末コンピュータ
を変更することなく、ポイント付与サービスを実現することができる。また、オペレータ
がポイント付与対象となる金額を手入力する必要が無いので、入力ミスがなくなると共に
、オペレータの業務負荷を低減することができ、ひいては作業効率を向上させることがで
きる。さらに、ポイントカードを処理するための装置を別に設置する必要がないため、設
置場所をとらずスペースの有効利用を図ることができる。
【００１０】
また、この場合、前記累積ポイント数と前記獲得ポイント数との合計が所定の達成ポイ
ント数に達したときに、現在ポイント書き込み手段は、当該合計から達成ポイント数を減
算したポイント数を現在ポイント数としてデータキャリアに書き込み、印刷手段は、当該
合計が達成ポイント数に達した旨の印刷および／またはポイント達成に対する特典を付与
するための印刷を行うことが望ましい。
【００１１】
この構成によれば、累積ポイント数と獲得ポイント数との合計が達成ポイント数に達し
た場合に、レシートにポイントが達成された旨を印刷したり、達成ポイント数分の割引券
を印刷するといった、確実なポイント付与サービスを実施することができる。また、残り
のポイント数がデータキャリアに書き込まれることで、ポイント付与サービスを継続的に
実施させることができる。
【００１２】
また、これらの場合、獲得ポイント数および／または現在ポイント数を、レシートおよ
び／またはデータキャリア上に印刷するためのポイントデータを生成するポイントデータ
生成手段と、当該ポイントデータに基づき、獲得ポイント数および／または現在ポイント
数の印刷を行うポイント印刷手段と、を更に備えてもよい。
【００１３】
これらの構成によれば、表示機能を備えていないデータキャリアを使用する場合でも、
レシート上に獲得ポイント数および／または現在ポイント数を印刷することで、顧客は常
に最新のポイント情報を確認することができる。さらに、表示機能を備えているデータキ
ャリアを使用する場合は、データキャリア上に獲得ポイント数および／または現在ポイン
ト数を印刷することで、顧客はレシートを紛失したような場合にも、データキャリアを見
るだけで最新のポイント情報を確認することができる。
【００１４】
本発明のＰＯＳシステムは、上記のいずれか１に記載の印刷装置と、ＰＯＳ端末コンピ
ュータと、ＰＯＳ端末コンピュータとネットワークを介して接続されると共にこれを統括
制御するＰＯＳサーバとによって構成されることを特徴とする。
【００１５】
この構成によれば、ＰＯＳ端末コンピュータの変更や、ポイント付与のための購入金額
等の入力作業を必要とせずに、ポイント付与サービスを実施可能なＰＯＳシステムを提供
することができる。
【００１６】
また、この場合、ＰＯＳ端末コンピュータに組み込まれたプリンタドライバは、印刷装
置の印刷動作の設定を行うための設定画面を起動し、当該設定画面は、ポイント換算係数
、達成ポイント数および金額特定文字列のうち少なくとも１つを設定するための表示を行
うことが好ましい。
【００１７】
これらの構成によれば、ＰＯＳ端末コンピュータ側でポイント付与サービスに関する設
定が可能なため、設定が容易であると共に、印刷装置側にポイント付与サービスの設定機
能を備える必要がない。また、セール期間中にはポイント換算係数を２倍に設定するなど
、効果的な販売促進サービスを実施することができる。さらに、顧客が購入した特定の商
品だけにポイントを付与したり、合計金額から消費税を除外した金額をポイントの付与対
象とするといった、店舗側の要望（ニーズ）に応じたポイント付与サービスを実施できる
。
【００１８】
本発明のプログラムは、上記のいずれか１に記載の印刷装置における各手段としてコン
ピュータを機能させることを特徴とする。
【００１９】
この構成によれば、ＰＯＳ端末コンピュータの変更や、ポイント付与のための購入金額
等の入力作業を必要とせずに、ポイント付与サービスを実施するためのプログラムを提供
することができる。
【発明の効果】
【００２０】
本発明の印刷装置、ＰＯＳシステム、プログラムおよびポイント付与方法によれば、レ
シートに印刷するための印刷データからポイントを付与するための金額を特定する金額特
定文字列を抽出することで、ＰＯＳ端末コンピュータの変更や、ポイント付与のための購
入金額等の入力作業を必要とせずに、ポイント付与サービスを実施することができる。更
に、表示機能を備えていないデータキャリアをポイントカードとして採用する場合にも、
レシート上にポイントデータを印刷することで、顧客に最新のポイント情報を提供するこ
とができる。
【図面の簡単な説明】
【００２１】
【図１】本発明の実施形態に係るＰＯＳシステムの構成図である。
【図２】本発明の実施形態に係るポイント処理端末装置の機能を含む印刷装置の外観    斜視図である。
【図３】本発明の実施形態に係る印刷装置の部分断面図である。
【図４】本発明の実施形態に係る印刷装置のポイント処理部の斜視図である。
【図５】本発明の実施形態に係るカード搬送路上面側を示す断面図である。
【図６】本発明の実施形態に係る印刷装置の制御ブロック図である。
【図７】本発明の実施形態に係る印刷装置の機能ブロック図である。
【図８】本発明の実施形態に係るポイントオプション設定画面の表示例を示す画面で    ある。
【図９】本発明の実施形態に係る印刷装置の制御方法を示すフローチャートである。
【図１０】本発明の実施形態に係る印刷装置の制御方法を示すフローチャートである    。
【図１１】本発明の実施形態に係るレシート印刷例を示す図である。
【図１２】本発明の実施形態に係るポイントカード例を示す図である。
【発明を実施するための形態】
【００２２】
以下、本発明の一実施形態に係る印刷装置、ＰＯＳシステム、プログラムおよびポイン
ト付与方法について、添付図面を参照しながら詳細に説明する。本発明は、顧客の購入商
品に関する商品情報の入力に基づいて会計処理を行うＰＯＳ端末コンピュータと接続され
て用いられる印刷装置において、ＰＯＳ端末コンピュータから送信される印刷データから
、ポイントの付与対象となる金額を特定する金額特定文字列を抽出し、金額特定文字列か
ら算出された獲得ポイントを、顧客から提示されたデータキャリアより読み取った累積ポ
イント数に加算してデータキャリアに書き込むものである。
【００２３】
そこで、以下、飲食店や小売店等の店舗にて利用される印刷装置（累積ポイント数読み
取り、獲得ポイント数の算出、および現在ポイント数の書き込みを含むポイント処理装置
としての機能、並びにレシート印刷装置としての機能を備えた装置）を例に挙げて説明す
る。また、併せて当該印刷装置を備えたＰＯＳシステムについて説明する。
【００２４】
図１に示すように、本発明のＰＯＳシステム１は、オペレータによって商品情報が入力
され、清算金額を算出するＰＯＳ端末コンピュータ６０と、ポイントが記録されているポ
イントカードＰおよびレシートＲ（図１１参照）の印刷に関する種々の処理を行う印刷装
置１０、およびＰＯＳ端末コンピュータ６０がネットワーク７５を介して接続されている
ＰＯＳサーバ７０とによって構成されている。
【００２５】
図１２に示すポイントカードＰは、ポリエステル製の白濁型ＰＥＴカードにより構成さ
れ、現在ポイント数や顧客へのポイント情報メッセージを含むカード印刷用ポイントデー
タが印刷されると共に、内面に埋め込んだ消去・印刷が可能な印刷面からなる表示部Ｐ１
と、裏面側に積層した現在ポイント数を含む記録用ポイントデータが書き込まれる磁気記
録層からなる記憶部Ｐ２とを有している（図７参照）。記憶部Ｐ２は、過去に印刷装置１
０によって書き込まれた記録用ポイントデータを磁気データとして記憶している。なお、
ポイントカードＰには、上記の他にも、カード表面全体が印刷面となる追記型のサーマル
カードや、消去・印刷が可能なリライタブル型のロイコカード等があり、これらのカード
を用いることも可能である。
【００２６】
ＰＯＳ端末コンピュータ６０は、本体主要部６１と、商品コードや金額等の商品情報を
入力するキーボード６２と、入力された商品情報や金額を表示する表示画面６３と、金銭
（キャッシュ）が収納されるキャッシュドロア６４と、本体主要部６１内に組み込まれた
、印刷装置を制御するためのプログラムであるプリンタドライバ６５を備え、ネットワー
ク７５を介してＰＯＳサーバ７０と接続されている。
【００２７】
ＰＯＳサーバ７０は、複数のＰＯＳ端末コンピュータ６０（図示では１つのみ表示）と
接続され、ＰＯＳ端末コンピュータ６０に入力された商品情報や在庫情報の一括管理を行
っている。具体的には、ＰＯＳサーバ７０はＰＯＳ端末コンピュータ６０に入力された商
品情報を取得し、これに基づいて予め記憶している価格リスト（ＰＬＵリスト）から商品
名や金額に関する情報を抽出する。そして、ＰＯＳサーバは抽出した情報から後述するレ
シートＲへの印刷および表示画面６３の表示に用いる商品データを生成し、ＰＯＳ端末コ
ンピュータ６０へ送信する。一方、これに対応してＰＯＳ端末コンピュータ６０は、ＰＯ
Ｓサーバ７０から送信された商品データに基づいて、レシートＲ上に印刷する印刷データ
を生成し、これを印刷装置１０に送信すると共に、表示画面６３に表示する表示データを
生成する。
【００２８】
印刷装置１０は、図示しないコネクタを介してＰＯＳ端末コンピュータ６０と配線又は
無線接続されており、レシートＲの発行の他、ポイントカードＰのポイントデータの読み
取り、ポイントデータの生成や書き込みなどポイント付与サービスに関する処理を行い得
るよう構成されている。従って、ＰＯＳ端末コンピュータにこの印刷装置を接続するだけ
で、印刷装置１０はレシートプリンタとして機能すると共にポイント付与サービスを実現
できる。
【００２９】
図２および図３に示すように、印刷装置１０は、ロール状に巻回されたレシート紙Ｒを
収容するレシート収容部３１およびレシート紙Ｒへの印刷を行うレシート印刷部１４０等
を備えた本体機構部１１と、本体機構部１１の後部上面を覆うように取り付けられ、ポイ
ントカード表示部Ｐ１にポイントデータの印刷を行うポイントデータ印刷部４０およびポ
イントカード記憶部Ｐ２でのポイントデータの読み取りや書き込みを行うポイントデータ
読取／書き込み部５０等を収容するポイント処理部１３と、で一体形成されている。
【００３０】
ポイント処理部１３には、ポイントカードＰのポイントデータの読み取りや書き込みを
行うポイントデータ読取／書き込み部５０の他、複数の搬送ローラ４３，４５，４６が設
けられており、ポイントカードＰはこれらの搬送ローラ４３，４５，４６によって各部に
搬送されながら各種処理が行われる。また、これらの搬送ローラ４３，４５，４６は前後
に正逆搬送可能（正逆回転可能）に構成されている。なお、ポイントデータ読取／書き込
み処理の詳細については後述する。
【００３１】
次に、図３を参照し、レシート搬送路３５の廻りの各部材について説明する。レシート
Ｒは巻回された状態でレシート収容部３１に収容されており、当該レシート収容部３１か
ら繰り出されたレシートＲは、本体機構部１１とポイント処理部１３との間に形成された
レシート搬送路３５に沿って上面に開口したレシート排出口３５ａヘ向け送り出される。
【００３２】
レシート搬送路３５には、サーマル印刷ヘッド３３およびレシートＲを挟んでこれに転
接するプラテンローラ３２が臨んでおり、プラテンローラ３２によるステップ送りに伴っ
てサーマル印刷ヘッド３３によりレシートＲへの印刷が行われる。印刷後のレシート紙Ｒ
は、サーマル印刷ヘッド３３およびプラテンローラ３２の上方に配置されたオートカッタ
３４によって適当な長さに切断され、レシート排出口３５ａから排出される。オートカッ
タ３４は、レシート搬送路３５の一方側に配置された固定刃３４ａと、レシート搬送路３
５の他方側であって固定刃３４ａに対応する位置に配置された可動刃３４ｂとを有してお
り、可動刃３４ｂが、レシート搬送路３５に向かって図示Ａの方向に移動することにより
、レシートＲが固定刃３４ａとの間に挟み込まれ、切断される。
【００３３】
一方、ポイント処理部１３の下側には、ポイント処理部を支持するフレーム５１が設け
られ、当該フレーム５１は、ヒンジ部５２を介して本体機構部１１に設けられた固定部５
３に対して回動可能に構成されている。また、これによりポイント処理部１３がレシート
収容部３１に対して開閉動作可能に構成され、レシートＲの交換時には、ポイント処理部
１３が上側に開放動作されて、巻回された状態のレシート紙Ｒがレシート収容部３１に投
入・装填（交換）される。
【００３４】
続いて、図３、図４および図５を参照し、ポイントデータ読取／書き込み部５０および
ポイントデータ印刷部４０廻りの構造について説明する。図３に示すように、ポイントデ
ータ読取／書き込み部５０およびポイントデータ印刷部４０は、上面カバー１３ａと、レ
シート収容部３１との間に内蔵されており、ＰＯＳ端末コンピュータ６０を操作するオペ
レータによって、ポイントカードＰが挿入口４１ａから挿入されることにより、後述する
カード検出器１５ａによりポイントカードＰが検出され、ポイントデータの読み取りおよ
び書き込み、並びにカード表示部Ｐ１にカード印刷用ポイントデータの印刷が行われる。
ポイントカードＰの印刷面は、熱可逆性のフィルムで構成されており、加熱と冷却を繰り
返すことで、文字や画像の印刷や消去が可能である。すなわち、ポイントデータ印刷部４
０は、前回印刷したポイントカードＰの印刷面の文字や画像を一旦消去した後、印刷ヘッ
ド４４によりカード印刷用ポイントデータをポイントカードＰの印刷面に印刷する。
【００３５】
挿入口４１ａの手前側には、ポイントカードＰの挿入をガイドするテーブル１３ｂが形
成され、オペレータはこのテーブル１３ｂに沿ってポイントカードＰを挿入する。また、
挿入口４１ａに隣接した上面カバー１３ａには、ポイントカードＰの読み取り操作に関す
る情報を報知するためのＬＥＤ表示部１６が設けられている。
【００３６】
ＬＥＤ表示部１６は、ポイントカードＰの処理状態に基づいて点灯するカード状態ＬＥ
Ｄ１６ａと、ポイントカードＰの搬送状態に基づいて点灯する搬送状態ＬＥＤ１６ｂとか
ら成り、前者はポイントカードＰの挿入または排出の検出結果やポイントカードＰのポイ
ントデータ読み取りおよび書き込み状態に応じて点灯し、後者はポイントカードＰの搬送
エラーがあった場合に点灯する。
【００３７】
ポイントデータ読取／書き込み部５０およびポイントデータ印刷部４０は、それぞれポ
イントカードＰの裏面に臨む磁気ヘッド５８およびポイントカードＰの表面に臨む印刷ヘ
ッド４４によってその主要部が構成され、カード搬送路４１に沿って挿入口４１ａ側から
印刷ヘッド４４、磁気ヘッド５８の順に配置されている。ポイントカードＰは、挿入後、
複数の搬送ローラ４３，４５，４６の順方向の送りによってポイントデータの読み取りが
行われ、所定位置まで搬送された後、搬送ローラ４３，４５，４６の逆方向の送りによっ
て、印刷ヘッド４４によりポイントデータがポイントカード表示部Ｐ１に印刷され、さら
に磁気ヘッド５８によりポイントカード記憶部Ｐ２にポイントデータの書き込みが行われ
る。なお、図示は省略するが、印刷面を消去・印刷可能なリライタブルカードをポイント
カードＰとして用いる場合には、熱ローラ等の印字消去装置を設けてもよい。
【００３８】
複数の搬送ローラ４３，４５，４６は、カード搬送路４１の上側に配置され、モータ９
０（図６参照）によって駆動される第１送りローラ４３ａおよび第２送りローラ４６ａと
、カード搬送路４１の下側に配置された第１押さえローラ４３ｂ、押しつけローラ４５お
よび第２押さえローラ４６ｂとから成り、ポイントカードＰは、第１送りローラ４３ａお
よび第１押さえローラ４３ｂによって搬送され、磁気ヘッド５８に臨む。また、第２送り
ローラ４６ａおよび第２押さえローラ４６ｂは、磁気ヘッド５８の下流側に配置されてい
る。すなわち、グリップローラで構成した第１送りローラ４３ａおよび４６ａはポイント
カードを正逆搬送し、単一のローラで構成した押しつけローラ４５はプラテンとして機能
する。
【００３９】
磁気ヘッド５８は、ポイントカード記憶部Ｐ２に磁気記録された磁気データの読み取り
、および合計金額に基づいて算出されたポイントデータをポイントカードＰに書き込むた
めのもので、ポイントカードＰの磁気記録層に対応する位置に設けられている。
【００４０】
第１押さえローラ４３ｂ、押し付けローラ４５および第２押さえローラ４６ｂは、カー
ド搬送路４１とレシート収容部３１との間に配置された内部フレーム４２に回転可能に支
持されており、当該内部フレーム４２は、ヒンジ部５５を介して、ポイント処理部１３か
らカード搬送方向に略垂直に立設されたガイド壁５４，５４（図５参照）に回動自在に取
り付けられている。ヒンジ部５５は、内部フレーム４２の背面側に設けられており、ポイ
ント処理部１３が開かれた状態で、上方に向けられた内部フレーム４２の正面側が印刷装
置１０の正面側に向かって引き出されて、印刷装置１０の正面側からカード搬送路４１の
各種部材がメンテナンス可能となっている。
【００４１】
また、内部フレーム４２が取り付けられたガイド壁５４，５４は、図５に示すように、
カード搬送路４１内に挿入されたポイントカードＰの挿入方向を案内するガイド部材とな
る。例えば、ポイントカードＰがカード搬送方向に対して少し斜めに挿入された場合は、
第１送りローラ４３ａおよび第２送りローラ４６ａによって搬送されながら、ガイド壁５
４，５４のいずれか一方の壁面に当接して案内されることにより、ポイントカードＰの挿
入方向が曲げられ、ポイントカードＰの搬送方向がカード搬送方向に揃うようになる。こ
れにより、ポイントカードＰは、その挿入方向が正常なカード搬送方向に対して少し角度
を持っていた場合でも、ガイド壁５４，５４にガイドされ搬送方向を修正しながら搬送さ
れていく。
【００４２】
また、図５に示すように、カード搬送路４１のカード挿入口４１ａ近傍には、カード検
出器１５ａが設けられている。このカード検出器１５ａは、ポイントカードＰの挿入を検
出するセンサであり、カード検出器１５ａの検出に基づいて第１送りローラ４３ａおよび
第２送りローラ４６ａが駆動開始される。すなわち、ポイントカードＰの挿入がトリガと
なって、カード搬送路４１内でのカード送り動作が開始される。図３に示すように、挿入
されたポイントカードＰはその裏面に形成された磁気記録層（図示省略）が磁気ヘッド５
８に臨んだ後、ポイントカード表示部Ｐ１の印刷面下端部Ｐ１ａ（図１２参照）がポイン
トデータ印刷部４０を完全に超える位置まで搬送される。その後、搬送ローラ４３，４５
，４６の逆方向の送りによって印刷ヘッド４４に臨み、搬送ローラの搬送に伴ってカード
表示部の印刷面下端部Ｐ１ｂから上端部Ｐ１ａまで印刷が行われた後、カード挿入口４１
ａから排出される。上記した一連の処理は、ポイントカードＰが挿入される度に一度に実
行される。
【００４３】
次に図６を参照し、印刷装置１０の制御ブロック図について説明する。同図に示すよう
に印刷装置１０は、ＰＯＳ端末コンピュータ６０から送信された印刷データを入力するイ
ンタフェース１２ａを備えた入出力部１２と、ポイントカードＰの挿入を検出するカード
検出器１５ａと、カード搬送路４１近傍に配置された複数の搬送ローラ４３，４５，４６
と、これら複数の搬送ローラ４３，４５，４６のうち、送りローラ４６ａを駆動するモー
タ９０と、を備えた駆動部１７と、磁気ヘッド５８を有しポイントカードＰに書き込まれ
た磁気データの読み取りおよび印刷装置１０で生成した磁気データの書き込みを行うポイ
ントデータ読取／書き込み部５０と、印刷ヘッド４４を有しポイントカード表示部Ｐ１に
ポイントデータの印刷を行うポイントデータ印刷部４０と、サーマル印刷ヘッド３３およ
びレシート紙Ｒ、並びにオートカッタ３４を備えたレシートＲへの印刷を行うレシートプ
リンタ部３０と、各部と接続され、印刷装置１０全体を制御する制御部８０とによって構
成されている。
【００４４】
制御部８０は、ＣＰＵ８２、ＲＯＭ９０、ＲＡＭ１００および入出力制御装置８１（以
下、「ＩＯＣ：Input Output Controller」という）を備え、互いに内部バス１１０によ
り接続されている。ＲＯＭ９０は、ＰＯＳ端末コンピュータ６０から送信された印刷デー
タからポイントデータを生成する制御やポイントデータをポイントカードＰに書き込む制
御、並びに印刷データをレシートＲに印刷する制御を行うためのプログラムの他、ＣＰＵ
８２で処理する各種プログラムを記憶する制御プログラムブロック９１と、送信された印
刷データに基づいて、ポイントデータを生成するための制御データや各種テーブル等を記
憶する制御データブロック９２と、ポイントが達成ポイント数に達したときに、その特典
として顧客に提供する割引券Ｃ（図７参照）に印刷する画像データ等を記憶する割引券印
刷フォーマットブロック９３と、を有している。
【００４５】
ＲＡＭ１００は、フラグ等として使用される各種ワークエリアブロック１０１の他、印
刷データから抽出する金額特定文字列を記憶する抽出文字ブロック１０２と、ポイントカ
ードＰから読み取った累積ポイント数や、金額特定文字列から抽出したポイント付与対象
となる金額を記憶するポイントデータブロック１０３と、金額からポイントに換算するた
めのポイント換算係数や、割引券Ｃを発行するためのポイント数である達成ポイント数を
記憶するポイント付与データブロック１０４と、ポイントカード表示部Ｐ１に印刷する文
章構成等のカード用ポイントフォーマットや、ポイントが達成ポイント数に達したときに
レシートＲに印刷するメッセージ等のレシート用ポイントフォーマットを記憶するポイン
ト印刷フォーマットブロック１０５と、を備え、制御処理のための作業領域として使用さ
れる。
【００４６】
ＩＯＣ８１には、ＣＰＵ８２の機能を補うと共に各種周辺回路とのインタフェース信号
を取り扱うための論理回路が、ゲートアレイやカスタムＬＳＩなどにより構成されて組み
込まれている。これにより、ＩＯＣ８１は、ＰＯＳ端末コンピュータ６０からの印刷デー
タや制御データをそのまま或いは加工して内部バス１１０に取り込むと共に、ＣＰＵ８２
と連動して、ＣＰＵ８２から内部バス１１０に出力されたデータや制御信号を、そのまま
或いは加工して入出力部１２、ポイントデータ読取／書き込み部５０、レシート印刷部３
０等各部に出力する。
【００４７】
そして、ＣＰＵ８２は、上記の構成により、ＲＯＭ９０内の制御プログラムに従って、
ＩＯＣ８１を介してＰＯＳ端末コンピュータ６０および印刷装置１０内の各部の各種信号
・データを制御することにより、ポイントカードＰへ記録用ポイントデータを書き込む処
理や、レシートＲの印刷処理などを行う。
【００４８】
次に、図７を参照し、印刷装置１０の機能ブロック図について説明する。同図に示すよ
うに、ポイントデータ読取／書き込み部５０は、磁気ヘッド５８によってポイントカード
Ｐからポイントデータを読み取り、ポイントデータの読み取りや書き込みの処理を制御す
るポイントデータ読取／書き込み制御部８６を介して、印刷装置全体を制御するデータ処
理制御部８３へ送信する。データ処理制御部８３は、受信したポイントデータをポイント
データ記憶部１１３に保存する。
【００４９】
一方、ＰＯＳ端末コンピュータ６０から印刷データが送信されると、入出力部１２は印
刷データを受信し、データ処理制御部８３へ送信する。データ処理制御部８３は、抽出文
字記憶部１１１に記憶されている金額特定文字列によって特定される金額に基づき、印刷
データからポイント付与対象となる金額を算出し、算出した金額をポイントデータ記憶部
１１３に保存する。さらにデータ処理制御部８３は、算出した金額をポイント付与データ
記憶部１１２に記憶されているポイント換算係数に応じて獲得ポイントに換算し、読み取
ったポイントデータに加算して記録用ポイントデータを生成すると共に、カード用ポイン
トフォーマットおよびレシート用ポイントフォーマットに基づき、カード印刷用ポイント
データおよびレシート印刷用ポイントデータを生成する。
【００５０】
生成されたそれぞれのポイントデータは、ポイントデータ読取／書き込み制御部８６、
ポイントデータ印刷制御部８５およびレシートプリンタ制御部８４を介して、ポイントデ
ータ読取／書き込み部５０、ポイントデータ印刷部４０およびレシートプリンタ部３０へ
送信される。その後、ポイントデータ読取／書き込み部５０は、記録用ポイントデータを
ポイントカード記憶部Ｐ２に書き込み、ポイントデータ印刷部４０は、カード印刷用ポイ
ントデータをポイントカード表示部Ｐ１に印刷する。また、レシートプリンタ部３０は、
レシート印刷用ポイントデータをＰＯＳ端末コンピュータ６０から受信した印刷データと
共にレシートＲに印刷する（図１１参照）。
【００５１】
ところで、印刷装置１０は、ポイント付与データ記憶部１１２に記憶されているポイン
ト換算係数、達成ポイント数および金額特定文字列を、ＰＯＳ端末コンピュータの表示画
面６３に表示されるポイントカードＰのオプション設定画面６３ａで設定可能に構成され
ている。この当該オプション設定画面６３ａは、ＰＯＳ端末コンピュータ６０に組み込ま
れたプリンタドライバ６５によって起動され、印刷装置１０の印刷動作を設定する画面の
１つであり、この設定は、ＰＯＳ端末コンピュータ６０に接続されたキーボード６２を操
作して行う。図８に示すポイントカードＰのオプション設定画面６３ａを参照して具体的
に説明する。
【００５２】
同図に示すＣの部分は、ポイント加算方法に関する設定を行う部分である。オペレータ
は、「ポイント換算係数」の文字列の横にあるテキストボックスにポイント換算係数とす
る数値を入力して設定することができる。（本実施例では「１００」に設定。Ｃ１参照。
）なお、ポイント換算係数の他にも、金額からポイント数に換算する際に、小数点となる
端数を切上げ、切捨ておよび四捨五入のいずれかに設定したり（Ｃ２参照）、レシートの
最後に現在ポイント数を印刷するか否かを選択したりすることができる（Ｃ３参照）。
【００５３】
同図に示すＤの部分は、ポイント数が達成ポイント数に達した時の処理に関する設定を
行う部分である。オペレータは、「ポイント達成数」の文字列の横にあるテキストボック
スにポイント達成数とする数値を入力して設定できる。（Ｄ１参照、本実施例では「１０
０」に設定。）さらに、達成ポイント数に達した旨の印刷の要否（Ｄ２参照）や、メッセ
ージとなる文言を自由に入力することができる。（Ｄ３参照）。また、プリンタドライバ
６５には、割引券Ｃに印刷するための画像データが、予め登録番号を付されて複数画像登
録されており、オペレータは、当該画面でどの画像を割引券Ｃに印刷するかを、当該登録
番号を入力して設定することができる（Ｄ４参照）。また、登録されている画像を表示画
面６３に表示させて確認したり、オペレータが登録されている画像に修正を加えて新たに
登録したりする機能を設けてもよい（Ｄ５参照）。
【００５４】
また、同図Ｂに示す部分は、ポイント付与対象金額の抽出に関する設定を行う部分であ
る。オペレータは、ポイント付与対象とする金額を特定するための金額特定文字列を、「
検索文字列」の横にあるテキストボックスに入力して設定できる。（Ｂ１参照、本実施例
では「合計」に設定。）さらに、ポイント付与対象とはしない金額を特定したい場合に備
えて、除外金額を特定するための文字列も入力して設定できる。（Ｂ２参照、本実施例で
は「消費税」に設定。）
【００５５】
上記の他に、ポイント付与サービスの提供方法に関する設定を行うこともできる（同図
Ａ部分参照）。この場合、本実施形態のように印刷装置１０単独でポイント付与サービス
を提供するか（Ａ２参照）、若しくはＰＯＳ端末コンピュータ６０から制御してポイント
付与サービスを提供するか（Ａ１参照）を選択することができる。この機能によれば、将
来ポイント付与サービス機能を備えたＰＯＳ端末コンピュータ６０やＰＯＳ端末アプリケ
ーションを導入する際にも、本発明の印刷装置１０をそのまま使用し続けることができる
。
【００５６】
さらに、図示は省略するが、例えば曜日毎にポイント換算係数を設定するなど、当該オプ
ション画面６３ａで設定する項目を増やすことにより、ポイント付与サービスに関するよ
り詳細な設定が可能となる。また、当該オプション画面６３ａを編集するためのパスワー
ドをさらに設け、当該パスワード保持者のみ設定変更可能な構成にしてもよい。この場合
、ポイント付与サービスに関する設定を、例えばシステム管理者に限定することができる
ため、不慣れなオペレータによる誤動作を防止することができる。
【００５７】
ここで、図９および図１０を参照し、印刷装置１０における特にポイント付与に関する
制御処理について説明する。なお、図９および図１０は印刷装置１０のポイント付与に関
する制御処理を示すフローチャートである。
【００５８】
図９に示すように、入出力部１２がＰＯＳ端末コンピュータ６０から送信された印刷デ
ータを受信し（Ｓ１１）、データ処理制御部８３へ送信すると、まずデータ処理制御部８
３は、印刷データから抽出文字記憶部１１１に記憶されている金額特定文字列（本実施形
態では「合計」とする。）を検出する。「合計」の文字列が検出された場合は（Ｓ１２：
Ｙｅｓ）、「合計」の文字列から改行コードまでの１行分の文字列を抽出し、さらに抽出
した文字列から数字部分の合計金額を取り出し、ポイントデータ記憶部１１３に記憶する
。なお、印刷データが「合計」を含む文字列でなかった場合は（Ｓ１２：Ｎｏ）、そのま
ま印刷データをレシートプリンタ制御部８４へ送信する（Ｓ１３）。
【００５９】
続いて、カード検出器１５ａがポイントカードＰの挿入を検出すると（Ｓ１４：ＹＥＳ
）、ポイントデータ読取／書き込み部５０は、磁気ヘッド５８によってポイントカードＰ
からポイントデータを読み取り、ポイント読取／書き込み制御部８６を介して、ポイント
データをデータ処理制御部８３へ送信し、データ処理制御部８３は、ポイントデータをポ
イントデータ記憶部１１３に一時的に記憶する（Ｓ１５）。次に、データ処理制御部８３
は、ポイントデータ記憶部１１３に記憶した合計金額から、ポイント付与データ記憶部１
１２に記憶されているポイント換算係数に基づいて獲得ポイント数を算出し、算出した獲
得ポイント数を、ポイントデータ記憶部１１３に記憶した累積ポイント数（ポイントカー
ドＰから読み取ったポイントデータに含まれる）に加算して現在ポイントを算出する（Ｓ
１６）。
【００６０】
ここで、現在ポイント数が達成ポイント数に達しているかを判断し（Ｓ１７）、現在ポイント数が達成ポイント数に達した場合は（Ｓ１７：ＹＥＳ）、現在ポイント数から達成ポイント数を減算し（Ｓ１８）、割引券印刷フォーマット記憶部１１５に記憶されている割引券Ｃの印刷フォーマットに基づき、割引券印刷データを生成すると共に、ポイント印刷フォーマット記憶部１１４に記憶されているレシート用ポイントフォーマットに基づき、ポイント達成時にレシートＲに印刷するメッセージ印刷データを生成する（Ｓ１９）。次に、データ処理制御部は、算出した現在ポイント数に基づき記録用ポイントデータを生成するとともに（Ｓ２０）、ポイント印刷フォーマット記憶部１１４に記憶されているカード用ポイントフォーマットに基づきカード印刷用ポイントデータを生成する（Ｓ２１）。
【００６１】
次に、データ処理制御部８３は、生成した記録用ポイントデータを、ポイントデータ読
取／書き込み制御部８６を介してポイントデータ読取／書き込み部５０へ送信すると共に
、カード印刷用ポイントデータをポイントデータ印刷制御部８５を介してポイントデータ
印刷部４０へ送信する。ポイントデータ読取／書き込み部５０は、磁気ヘッド５８により
ポイントカードへ記録用ポイントデータの書き込みを行い（Ｓ２２）、ポイントデータ印
刷部４０は、印刷ヘッド４４によりポイントカード表示部Ｐ１にカード印刷用ポイントデ
ータを印刷する（Ｓ２３）。さらに、データ処理制御部８３は、ポイント印刷フォーマッ
ト記憶部１１４に記憶されているレシート用ポイントフォーマットに基づいて、レシート
Ｒに印刷するためのレシート印刷用ポイントデータを生成した後（Ｓ２４）、レシートＲ
の発行の終了を検出するまで受信した印刷データをレシートプリンタ制御部８４へ送信す
る（Ｓ２６）。
【００６２】
その後、データ処理制御部８６は、例えば印刷済みレシートＲの後端を自動カットさせ
るためのオートカットコマンドなど印刷データの最後を示すデータを受信することにより
印刷データの終了を検出する（Ｓ２５：ＹＥＳ）と、レシート印刷用ポイントデータをレ
シートプリンタ制御部８４に送信する（Ｓ２７）。さらに、割引券印刷データおよびメッ
セージ印刷データを生成した場合（Ｓ２８：ＹＥＳ）は、レシート印刷用ポイントデータ
と共に割引券印刷データおよびメッセージ印刷データをレシートプリンタ制御部８４に送
信する（Ｓ２９）。そして、レシートプリンタ制御部８４に送信した印刷データに基づい
て、レシートプリンタ部３０は図１１に示すようなレシートＲの印刷を行う（Ｓ３０）。
また、割引券印刷データおよびメッセージ印刷データを受信している場合は、印刷データ
およびメッセージ印刷データに基づきレシートＲを印刷し、同時に割引券Ｃの印刷を行う
（Ｓ３１）。なお、ポイントカードＰが検出されなかった場合は（Ｓ１４：Ｎｏ）、印刷
データの終了を検出したとき、印刷データの後に、顧客に対してポイント付与サービスへ
の加入を勧める旨のポイント付与サービス勧誘メッセージを付加し、これをレシートＲに
印刷するような構成にしてもよい（Ｓ３２）。
【００６３】
以上説明したとおり、本発明の印刷装置１０、ＰＯＳシステム１、プログラム、および
ポイント付与方法によれば、ＰＯＳ端末コンピュータ６０から送信された印刷データから
、金額特定文字列を抽出し、当該金額特定文字列によって特定される金額に基づいてポイ
ントを付与するため、既存のＰＯＳ端末コンピュータに変更を加えることなく、ポイント
付与サービスを導入することができる。また、オペレータによる金額の手入力も必要とし
ないので、金額の入力ミスが無くなると共に、オペレータの業務負荷も軽減し、顧客との
会計取引処理の作業効率を向上させることができる。
【００６４】
また、上記の例に示した、印刷装置１０における各機能（各手段）をプログラムとして
提供することも可能である。また、そのプログラムを記憶媒体（図示省略）に格納し、パ
ーソナルコンピュータ等にインストールすることで、本実施形態に示すＰＯＳシステム以
外でも、本発明の印刷装置を実現可能である。記録媒体としては、ＣＤ−ＲＯＭ、フラッ
シュＲＯＭ、メモリカード（コンパクトフラッシュ（登録商標）、スマートメディア、メ
モリースティック等）、コンパクトディスク、光磁気ディスク、デジタルバーサタイルデ
ィスクおよびフレキシブルディスク等を利用することができる。
【００６５】
また、本実施形態では、ポイントの読み取りや書き込みを行うポイントカード（データ
キャリア）として磁気カードを採用しているが、ＲＦＩＤ（Radio Frequency-Identifica
tion：電波方式認識)カードをポイントカードとして採用してもよい。ＲＦＩＤカードの
構成によれば、非接触で磁気データの読み取りおよび書き込みが可能なため、顧客は会計
の度に財布の中からポイントカードをオペレータに手渡すことなく、財布を所定の位置に
載置するだけでポイントの獲得が可能である。さらに、カード型端末に代えて携帯電話や
ＰＤＡ内のメモリにポイントデータを格納することも可能である。この場合には、携帯電
話やＰＤＡの画面上にポイントデータを表示する構成にしてもよい。
【００６６】
また、金額特定文字列は、特定の商品名としても良い。さらに、複数設定可能に構成し
ても良い。これらの構成によれば、顧客が購入した特定の商品だけにポイントを付与する
といった、店舗側の要望（ニーズ）に応じたポイント付与サービスを実現させることがで
きる。また、表示部を有するデータキャリアの場合、レシート上へのポイント印刷データ
の印刷を省略しても良い。この構成によれば、ポイント付与サービスに要する処理時間を
短縮させることができると共に、レシート紙の節約にもなり、省資源化といった効果が期
待できる。
【符号の説明】
【００６７】
１        ＰＯＳシステム
１０      印刷装置
１２      入出力部
３０      レシートプリンタ部
４０      ポイントデータ印刷部
５０      ポイントデータ読取／書き込み部
６０      ＰＯＳ端末コンピュータ
６３      表示画面
６３ａ    ポイントオプション設定画面
６５      プリンタドライバ
８３      データ処理制御部
８４      レシートプリンタ制御部
８５      ポイントデータ印刷制御部
８６      ポイントデータ読取／書き込み制御部
１１１    抽出文字記憶部
１１２    ポイント付与データ記憶部
１１３    ポイントデータ記憶部
１１４    ポイント印刷フォーマット記憶部
１１５    割引券印刷フォーマット記憶部
Ｐ        ポイントカード
Ｐ１      ポイントカード表示部
Ｐ２      ポイントカード記憶部
Ｒ        レシート
Ｃ        割引券
【図１】
2010055630.tif 000003
【図２】
2010055630.tif 000004
【図３】
2010055630.tif 000005
【図４】
2010055630.tif 000006
【図５】
2010055630.tif 000007
【図６】
2010055630.tif 000008
【図７】
2010055630.tif 000009
【図８】
2010055630.tif 000010
【図９】
2010055630.tif 000011
【図１０】
2010055630.tif 000012
【図１１】
2010055630.tif 000013
【図１２】
2010055630.tif 000014
【手続補正書】
【提出日】平成21年12月25日(2009.12.25)
【手続補正１】
【補正対象書類名】特許請求の範囲
【補正対象項目名】全文
【補正方法】変更
【補正の内容】
【特許請求の範囲】
【請求項１】
受信した印刷データをレシート紙に印刷を行う印刷手段と、
前記印刷データからポイントデータの付与対象となる対象金額を抽出する対象金額抽出手段と、
データキャリアに担持されているポイントデータの読み込みと書き込みを行うポイントデータ読取／書込手段と、  
前記対象金額からポイントデータを換算するためのポイント換算手段と、
前記データキャリアの表示部に少なくとも前記ポイントデータを含む情報を印刷するデータキャリア印刷手段と、
を備えたことを特徴とする印刷装置。
【請求項２】
前記データキャリアを搬送路に沿って搬送する搬送手段を備え、
前記搬送路がメンテナンス時に開かれた状態になるように、当該搬送路の一部が前記印刷装置のフレームに回動可能に取り付けられていることを特徴とする請求項１に記載の印刷装置。
【請求項３】
前記回動可能に取り付けられた搬送路の一部には、少なくとも前記データキャリア印刷手段が備えられていることを特徴とする請求項２に記載の印刷装置。
【請求項４】
少なくとも前記レシート紙を収納するレシート収納部と前記印刷手段を備えた本体機構部と、少なくとも前記ポイントデータ読取／書込手段と前記データキャリア印刷手段を収納するポイント処理部により、一体形成され、
前記ポイント処理部を支持するフレームは、前記レシート収納部を開閉するように、前記本体処理部に設けられた固定部に回動可能に取り付けられていることを特徴とする請求項１に記載の印刷装置。
【請求項５】
前記レシートをレシート搬送路に沿って搬送するレシート搬送路手段を備え、
前記レシート搬送路は、前記本体機構部と前記ポイント処理部との間に形成されていることを特徴とする請求項４に記載の印刷装置。
【請求項６】
前記レシート搬送路において、前記本体機構部側に前記印刷手段を備え、前記ポイント処理部側に前記レシート搬送手段を備えることを特徴とする請求項５に記載の印刷装置。 
【手続補正２】
【補正対象書類名】明細書
【補正対象項目名】０００７
【補正方法】変更
【補正の内容】
【０００７】
本発明の印刷装置は、受信した印刷データをレシート紙に印刷を行う印刷手段と、前記印刷データからポイントデータの付与対象となる対象金額を抽出する対象金額抽出手段と、
データキャリアに担持されているポイントデータの読み込みと書き込みを行うポイントデータ読取／書込手段と、前記対象金額からポイントデータを換算するためのポイント換算手段と、前記データキャリアの表示部に少なくとも前記ポイントデータを含む情報を印刷するデータキャリア印刷手段とを備えたことを特徴とする。 
【手続補正３】
【補正対象書類名】明細書
【補正対象項目名】０００８
【補正方法】変更
【補正の内容】
【０００８】
また、参考例のポイント付与方法は、顧客の購入商品に関する商品情報の入力に基づい
て会計処理を行うＰＯＳ端末コンピュータと接続されて用いられる印刷装置のポイント付
与方法であって、レシート紙に印刷を行う印刷工程と、印刷データから、ポイントの付与
対象となる金額を特定するための金額特定文字列を抽出する文字列抽出工程と、金額特定
文字列と、当該金額特定文字列によって特定される金額をポイントに換算するためのポイ
ント換算係数とに基づき、付与すべき獲得ポイント数を算出する獲得ポイント算出工程と
、データキャリアから、過去に付与されたポイントの累積である累積ポイント数を読み取
る累積ポイント読み取り工程と、累積ポイント数と獲得ポイント数とを加算した現在ポイ
ント数をデータキャリアに書き込む現在ポイント書き込み工程と、を実行することを特徴
とする。 
【手続補正４】
【補正対象書類名】明細書
【補正対象項目名】００１４
【補正方法】変更
【補正の内容】
【００１４】
参考例のＰＯＳシステムは、上記のいずれか１に記載の印刷装置と、ＰＯＳ端末コンピ
ュータと、ＰＯＳ端末コンピュータとネットワークを介して接続されると共にこれを統括
制御するＰＯＳサーバとによって構成されることを特徴とする。 
【手続補正５】
【補正対象書類名】明細書
【補正対象項目名】００１８
【補正方法】変更
【補正の内容】
【００１８】
参考例のプログラムは、上記のいずれかに記載の印刷装置における各手段としてコン
ピュータを機能させることを特徴とする。